(57)【要約】【課題】材質を変更することなくロックアームの強度を高くする。【解決手段】本実施形態の充電コネクタ用レバー１０は、充電コネクタ１に用いられる充電コネクタ用レバー１０であって、前後方向に延びる形態をなすロックアーム２０と、ロックアーム２０の前端部に設けられた薄肉部３０と、薄肉部３０から下方に突出して設けられたロック部４０と、ロックアーム２０における薄肉部３０の後方に設けられ、薄肉部３０よりも厚肉に形成された厚肉部５０と、薄肉部３０から上方に突出しかつ前後方向に延出された補強リブ６０であって、補強リブ６０の後端部が厚肉部５０に連結された補強リブ６０とを備えた構成とした。【選択図】図１８
2018195413.tif 000002
【特許請求の範囲】
【請求項１】
充電コネクタに用いられる充電コネクタ用レバーであって、
前後方向に延びる形態をなすロックアームと、
前記ロックアームの前端部に設けられた薄肉部と、
前記薄肉部から下方に突出して設けられたロック部と、
前記ロックアームにおける前記薄肉部の後方に設けられ、前記薄肉部よりも厚肉に形成された厚肉部と、
前記薄肉部から上方に突出しかつ前後方向に延出された補強リブであって、前記補強リブの後端部が前記厚肉部に連結された補強リブとを備えた充電コネクタ用レバー。
【請求項２】
前記補強リブは、前記薄肉部の両側縁部に一対設けられており、前記一対の補強リブの間には、ロックピンが進退可能とされている請求項１に記載の充電コネクタ用レバー。
【請求項３】
前記補強リブの上縁は、前記薄肉部の前縁から前記厚肉部の上面に至る範囲に設けられている請求項１または請求項２に記載の充電コネクタ用レバー。
【発明の詳細な説明】
【技術分野】
【０００１】
本明細書によって開示される技術は、充電コネクタ用レバーに関する。
【背景技術】
【０００２】
従来、充電コネクタに用いられるレバーとして、例えば特許第５９３９９５４号公報（下記特許文献１）に記載のロック機構が知られている。このロック機構は、ロックアームと、ロックアームの先端に設けられて相手側コネクタに係合するロック爪とを備えている。ロック爪は、ロックアームの先端から下方に突出する形態とされており、ロックアームの先端におけるロック爪の上方には、ロックアームを左右両側に拡幅して設けられた幅広部が設けられている。この幅広部によってロック爪が上側および左右両側から衝撃を受けた場合においても、ロック爪が損傷しないように保護されている。
【先行技術文献】
【特許文献】
【０００３】
【特許文献１】特許第５９３９９５４号公報
【発明の概要】
【発明が解決しようとする課題】
【０００４】
しかしながら、幅広部の付け根（幅広部と通常幅部分の境界）の位置では肉が薄くなっているため、ロック爪が相手側コネクタに係合している状態で充電コネクタのグリップが上方に無理に持ち上げられた場合には、幅広部の付け根の位置に応力が集中し、最悪の場合、破損するおそれがある。ここで、ロックアームの強度を高くするために材質を樹脂から金属に変更すると、ロックアームのコストが高くなる。
【課題を解決するための手段】
【０００５】
本明細書によって開示される充電コネクタ用レバーは、充電コネクタに用いられる充電コネクタ用レバーであって、前後方向に延びる形態をなすロックアームと、前記ロックアームの前端部に設けられた薄肉部と、前記薄肉部から下方に突出して設けられたロック部と、前記ロックアームにおける前記薄肉部の後方に設けられ、前記薄肉部よりも厚肉に形成された厚肉部と、前記薄肉部から上方に突出しかつ前後方向に延出された補強リブであって、前記補強リブの後端部が前記厚肉部に連結された補強リブとを備えた構成とした。
【０００６】
このような構成によると、充電コネクタのグリップが上方に無理に持ち上げられた場合に、ロック部を中心として薄肉部が上方に変形することで薄肉部に応力が集中するところ、薄肉部から補強リブおよび厚肉部にかけて応力が分散されるため、薄肉部が破損することを回避できる。したがって、材質を変更することなくロックアームの強度を高くすることができる。
【０００７】
本明細書によって開示される充電コネクタ用レバーは、以下の構成としてもよい。
前記補強リブは、前記薄肉部の両側縁部に一対設けられており、前記一対の補強リブの間には、ロックピンが進退可能とされている構成としてもよい。
このような構成によると、補強リブが一対設けられているため、薄肉部の強度が高くなり、薄肉部から一対の補強リブにかけて応力を分散させることができ、薄肉部がより破損しにくくなる。また、ロックピンの進入経路を妨げることなく薄肉部の強度を高めることができる。
【０００８】
前記補強リブの上縁は、前記薄肉部の前縁から前記厚肉部の上面に至る範囲に設けられている構成としてもよい。
このような構成によると、補強リブを薄肉部の全長に亘って形成できるため、補強リブの強度を最大限高めることができる。
【発明の効果】
【０００９】
本明細書によって開示される充電コネクタ用レバーによれば、材質を変更することなくロックアームの強度を高くすることができる。
【図面の簡単な説明】
【００１０】
【図１】正面図
【図２】背面図
【図３】左側面図
【図４】右側面図
【図５】平面図
【図６】底面図
【図７】使用状態を表す参考図
【図８】拡大正面図
【図９】図８のＡ−Ａ断面図
【図１０】図９のＢ−Ｂ断面図
【図１１】充電コネクタ用レバーの正面図
【図１２】充電コネクタ用レバーの背面図
【図１３】充電コネクタ用レバーの左側面図
【図１４】充電コネクタ用レバーの右側面図
【図１５】充電コネクタ用レバーの平面図
【図１６】充電コネクタ用レバーの底面図
【図１７】充電コネクタの内部構造を示した一部切り欠き正面図
【図１８】充電コネクタ用レバーの拡大正面図
【図１９】図１８におけるＡ−Ａ線断面図
【図２０】図１９におけるＢ−Ｂ線断面図
【発明を実施するための形態】
【００１１】
＜実施形態＞
実施形態を図７、図１１から図２０の図面を参照しながら説明する。なお、図１から図１０は、本願を意匠登録出願に変更した場合にそのまま使用できるように準備したものである。
【００１２】
充電コネクタ用レバー１０は、図１７に示すように、充電コネクタ１に取り付けられて使用されるレバーである。充電コネクタ１は、ケース２と、ケース２の前端部に取り付けられたコネクタ嵌合部３と、コネクタ嵌合部３の内部に保持された雄端子４とを備えて構成されている。充電コネクタ用レバー１０は、ケース２の上部に取り付けられており、軸５を中心として前後両側が揺動可能に構成されている。充電コネクタ１の嵌合および離脱操作は、図７に示すグリップ７を手で握って行われる。
【００１３】
充電コネクタ用レバー１０は、図１１に示すように、前後方向に延びる形態をなすロックアーム２０と、ロックアーム２０の前端部に設けられた薄肉部３０と、薄肉部３０から下方に突出して設けられたロック部４０と、ロックアーム２０における薄肉部３０の後方に設けられ、薄肉部３０よりも厚肉に形成された厚肉部５０と、薄肉部３０から上方に突出しかつ前後方向に延出された一対の補強リブ６０であって、一対の補強リブ６０の後端部が厚肉部５０に連結された一対の補強リブ６０とを備えて構成されている。
【００１４】
図１１および図１２に示すように、ロックアーム２０は、軸５が挿通される軸孔２１を有している。薄肉部３０とロック部４０と厚肉部５０と補強リブ６０とは、いずれも軸孔２１の前方に配されている。ロックアーム２０の後端部には、解除操作部２２が設けられている。図１４および図１５に示すように、解除操作部２２には、複数条の滑り止め突部２３が設けられている。解除操作部２２を下方に押し込むと、ロック部４０が上方に変位して図示しない車両側コネクタのロック突部との係止状態を解除することができる。これにより、充電コネクタ１と車両側コネクタを離脱させることができる。
【００１５】
図１６に示すように、ロックアーム２０の下面には、複数の肉盗み２４が設けられている。肉盗み２４は、前後方向に延びる溝状に形成されている。なお、ロック部４０の強度確保のため、ロック部４０の周辺部には肉盗み２４が設けられていない。
【００１６】
図１８に示すように、ロック部４０は、薄肉部３０の下面における前端部に設けられている。ロック部４０の後面は、上下方向に切り立った係止面４１とされており、係止面４１は、充電コネクタ１と車両側コネクタが正規に嵌合した状態ではロック突部と係止可能とされている。一方、ロック部４０の前面は、充電コネクタ１と車両側コネクタの嵌合時に、ロック突部に乗り上げ可能な形状である逆テーパ状の乗上面４２とされている。
【００１７】
図１３および図１９に示すように、一対の補強リブ６０は、薄肉部３０の両側縁部に設けられている。一対の補強リブ６０の間には、車両側コネクタに設けられたロックピン６が進退可能とされている。充電コネクタ１による充電が行われているときには、ロックピン６が一対の補強リブ６０の間に進入することによりロック部４０とロック突部との係止状態が解除不能となる。一方、充電コネクタ１による充電が行われていないときには、ロックピン６が一対の補強リブ６０の間から退避することにより、ロック部４０とロック突部との係止状態が解除可能となる。
【００１８】
図２０に示すように、補強リブ６０の上縁６１は、薄肉部３０の前縁３１から厚肉部５０の上面５１に至る範囲に設けられている。補強リブ６０は、薄肉部３０の範囲内では後方に向かうほど高くなるように形成されているものの、厚肉部５０の導入部であるテーパ部５２の範囲内では後方に向かうほど低くなるように形成されている。テーパ部５２は、後方に向かうほど上方に向かうテーパ面５３を有している。一方、テーパ部５２の下面は、薄肉部３０の下面と面一をなして前後方向に延びる形態とされている。
【００１９】
したがって、ロック部４０が車両側コネクタのロック突部に係止している状態で充電コネクタ１のグリップ７（図７参照）が上方に無理に持ち上げられた場合には、薄肉部３０に応力がかかるものの、この応力は一つの補強リブ６０とテーパ部５２を介して厚肉部５０に分散することになる。このため、薄肉部３０に応力が集中することを回避できることになる。
【００２０】
以上のように本実施形態の充電コネクタ用レバー１０は、充電コネクタ１に用いられる充電コネクタ用レバー１０であって、前後方向に延びる形態をなすロックアーム２０と、ロックアーム２０の前端部に設けられた薄肉部３０と、薄肉部３０から下方に突出して設けられたロック部４０と、ロックアーム２０における薄肉部３０の後方に設けられ、薄肉部３０よりも厚肉に形成された厚肉部５０と、薄肉部３０から上方に突出しかつ前後方向に延出された補強リブ６０であって、補強リブ６０の後端部が厚肉部５０に連結された補強リブ６０とを備えた構成とした。
【００２１】
このような構成によると、充電コネクタ１のグリップ７が上方に無理に持ち上げられた場合に、ロック部４０を中心として薄肉部３０が上方に変形することで薄肉部３０に応力が集中するところ、薄肉部３０から補強リブ６０および厚肉部５０にかけて応力が分散されるため、薄肉部３０が破損することを回避できる。したがって、材質を変更することなくロックアーム２０の強度を高くすることができる。
【００２２】
補強リブ６０は、薄肉部３０の両側縁部に一対設けられており、一対の補強リブ６０の間には、ロックピン６が進退可能とされている構成としてもよい。
このような構成によると、補強リブ６０が一対設けられているため、薄肉部３０の強度が高くなり、薄肉部３０から一対の補強リブ６０にかけて応力を分散させることができ、薄肉部３０がより破損しにくくなる。また、ロックピン６の進入経路を妨げることなく薄肉部３０の強度を高めることができる。
【００２３】
補強リブ６０の上縁は、薄肉部３０の前縁３１から厚肉部５０の上面５１に至る範囲に設けられている構成としてもよい。
このような構成によると、補強リブ６０を薄肉部３０の全長に亘って形成できるため、補強リブ６０の強度を最大限高めることができる。
【００２４】
＜他の実施形態＞
本明細書によって開示される技術は上記記述及び図面によって説明した実施形態に限定されるものではなく、例えば次のような種々の態様も含まれる。
（１）上記実施形態では補強リブ６０が一対設けられているものの、補強リブを一つだけ設けてもよいし、三つ以上設けてもよい。
【００２５】
（２）上記実施形態では補強リブ６０の上縁６１が薄肉部３０の前縁３１から厚肉部５０の上面５１に至る範囲に設けられているものの、補強リブの上縁がテーパ部５２のテーパ面５３に連結されているものとしてもよい。
【符号の説明】
【００２６】
１…充電コネクタ
１０…充電コネクタ用レバー
２０…ロックアーム
３０…薄肉部
３１…前縁
４０…ロック部
５０…厚肉部
５１…上面
６０…補強リブ
６１…上縁
【図１】
2018195413.tif 000003
【図２】
2018195413.tif 000004
【図３】
2018195413.tif 000005
【図４】
2018195413.tif 000006
【図５】
2018195413.tif 000007
【図６】
2018195413.tif 000008
【図７】
2018195413.tif 000009
【図８】
2018195413.tif 000010
【図９】
2018195413.tif 000011
【図１０】
2018195413.tif 000012
【図１１】
2018195413.tif 000013
【図１２】
2018195413.tif 000014
【図１３】
2018195413.tif 000015
【図１４】
2018195413.tif 000016
【図１５】
2018195413.tif 000017
【図１６】
2018195413.tif 000018
【図１７】
2018195413.tif 000019
【図１８】
2018195413.tif 000020
【図１９】
2018195413.tif 000021
【図２０】
2018195413.tif 000022